(57)【要約】【課題】より効果的な広告システムを提供する。【解決手段】インターネット上に設けられたウェブサーバおよび広告サーバと、該インターネットに接続可能な携帯電話ネットワークとからなる携帯電話用広告システムであって、前記ウェブサーバは、広告サーバへの遷移をするか否かを定めるための確率計算手段と、該確率計算手段の計算の結果該当する場合に表示画面を広告サーバの広告内容に遷移させる広告遷移手段とを有し、前記広告サーバは複数の広告内容を順繰りに表示させる広告表示手段を有し、携帯電話機から前記ウェブサーバにアクセスするアクセス者が所定の操作を行った際に前記確率計算手段により計算された確率にしたがって前記広告サーバの広告を表示した後に前記ウェブサーバ上の画面に遷移する。【選択図】図１
0003101704.tif 000002
【実用新案登録請求の範囲】
【請求項１】
インターネット上に設けられたウェブサーバおよび広告サーバと、該インターネットに接続可能な携帯電話ネットワークとからなる携帯電話用広告システムであって、
前記ウェブサーバは、
広告サーバへの遷移をするか否かを定めるための確率計算手段と、
該確率計算手段の計算の結果該当する場合に表示画面を広告サーバの広告内容に遷移させる広告遷移手段とを有し、
前記広告サーバは複数の広告内容を順繰りに表示させる広告表示手段を有し、
携帯電話機から前記ウェブサーバにアクセスするアクセス者が所定の操作を行った際に前記確率計算手段により計算された確率にしたがって前記広告サーバの広告を表示した後に前記ウェブサーバ上の画面に遷移する携帯電話用広告システム。
【請求項２】
請求項１に記載した携帯電話用広告システムであって、前記広告遷移手段は、前記広告表示手段が広告内容を表示しはじめてから所定の長さの時間が経過したら需要者の所望の画面に自動的に遷移させることを特徴とする携帯電話用広告システム。
【請求項３】
請求項１に記載した携帯電話用広告システムであって、前記広告表示手段は、広告主体の違いに応じて定まる比率に基づいて出現頻度が定まることを特徴とする携帯電話用広告システム。
【考案の詳細な説明】
【技術分野】
【０００１】
本考案は、携帯電話からインターネットに接続して表示される内容に所定の広告を挿入するシステムに関する。
【背景技術】
【０００２】
携帯電話機からウェブサーバに接続してサイトを利用する際にはそのサイトのトップ画面などに広告を表示されることがある。また先行技術である特許文献１に示すように携帯電話機の裏側の表示部に広告を表示することも提案されている。
【０００３】
しかし、トップ画面での広告は需要者が本来欲するサービスへのアクセスには妨げとなる場合が多く、コンテンツ内容を煩雑にする原因にもなる。また、せっかく広告を表示しても詳細内容の表示のためには更にクリックを要することが多く直接的な広告を表示するのが困難な場合もある。
【０００４】
【特許文献１】特開２００３−０８７４２０号公報
【考案の開示】
【考案が解決しようとする課題】
【０００５】
本考案の考案者は広告専用のサーバを設けてリンクをうまく使うことによって需要者にとっても邪魔に思わず広告主体にとってもより多くの広告を表示できるシステムを提供できることに気づいた。本考案の課題はより効果的な広告システムを提供することにある。
【課題を解決するための手段】
【０００６】
本考案は、ウェブサーバに加えて広告サーバを設けてウェブサイトの操作中に所定の確率で広告サーバに遷移するための広告遷移手段を設けたことを最も主要な特徴とする。
【考案の効果】
【０００７】
需要者がよけいなクリックをすることなく効果的に広告内容の表示をすることができるという効果がある。また本来のウェブサイトのコンテンツ内容の表示を妨げないという効果もある。
【考案を実施するための最良の形態】
【０００８】
通常の画面の動きではコンテンツ内のトップページのある箇所をクリックすると下位のページにリンクするところを所定の確率で広告サーバの広告ページにリンクさせてから前記ウェブサーバに戻すことによって需要者によけいな負担をかけない広告表示の実現が可能になった。
【実施例１】
【０００９】
図１は、本考案システムの実施例の構成図である。インターネット３０上にはウェブサーバ２０と広告サーバ４０とが設けられておりこれらは協働して機能する。携帯電話機１０は携帯電話ネットワーク５０を介してインターネット３０に接続される。携帯電話ネットワーク５０とインターネット３０との接続部分にはそれぞれの携帯電話会社ごとに異なる設備が設けられるが、本考案とは直接関係がないので説明を省略する。
【００１０】
図２は、「無料着音屋」という携帯電話サイトのトップ画面を示している。トップ画面の下の方に表示されている項目はそのほとんどがクリック可能になっておりそのいずれかをクリックすることによって下位のページにリンクする。ここでは「クリック」とは、携帯電話機の表示画面中の反転表示（その項目が選択されていることを表示する状態を「反転表示」と本明細書で総称する。）の部分が選択されていることを確認した上で操作者が決定ボタンを押すことを言う。例えば「新着音」と書かれた部分をクリックすると図３に表示した新着コーナーの画面に遷移する。
【００１１】
多くの場合図２から操作者がいずれかのクリックをすると図３のような当該サイトの下位ページに遷移するが本考案においてはある所定の確率例えば１０パーセントの割合で広告サーバ４０上の広告ページに一旦遷移し、広告ページ内の「次へ」と書かれた部分をクリックすることによって操作者が所望した下位ページに遷移する。図４または図５はそのような広告ページのひとつを表している。図４または図５を表示している間に広告内容をクリックするとその広告主体の広告サイトに飛ぶことも可能である。
【００１２】
広告サーバ４０には図４や図５に示す広告ページのデータを複数画面分持っており、その複数の広告を順繰りに表示させる。また、広告主体の支払った広告料に比例した確率でランダムに表示がなされるようにすることもできる。
【００１３】
【数１】
0003101704.tif 000003
【００１４】
この広告サーバに格納された広告ページの表示は図２から図３へのリンクを広告サーバを介すことで実現する。具体的には数１に示す記述を行いｈｔｍｌのリンクを修正することによりなされる。
【００１５】
図６は、トップページからのクリック操作がなされたときのフローチャートである。トップページからのクリックがあると確率計算とキャリア判別（携帯電話会社がいずれの会社であるかの判別）をし例えば１０パーセントという確率において広告ページを介するか介さないかの判断をする。
【００１６】
本考案はこのように構成されているから、これまでにない需要者の意表をつく広告形式の提供ができる。従来の広告と併用して使っても構わない。グラフィックを前面に使ったわかりやすい広告が望ましい。結果的にクッションなので不正がしにくい。ｈｔｍｌのリンクを修正するだけで導入できる手軽さがある。また複数の広告主体の要望をかなえることができる。
【産業上の利用可能性】
【００１７】
需要者に対してくじの抽選を実行して景品を提供するサービスにも応用できる。
【図面の簡単な説明】
【００１８】
【図１】本考案システムの実施例の構成図である。
【図２】「無料着音屋」という携帯電話サイトのトップ画面。
【図３】下位画面の一例である新着コーナーの画面。
【図４】「業界初！荷物追跡機能」の広告内容を示す画面。
【図５】「超簡単！携帯だけでＯＫ」の広告内容を示す画面。
【図６】トップページからのクリック操作がなされたときのフローチャートである。
【符号の説明】
【００１９】
１０  携帯電話機
２０  ウェブサーバ
３０  インターネット
４０  広告サーバ
５０  携帯電話ネットワーク
【図１】
0003101704.tif 000004
【図２】
0003101704.tif 000005
【図３】
0003101704.tif 000006
【図４】
0003101704.tif 000007
【図５】
0003101704.tif 000008
【図６】
0003101704.tif 000009